(57)【要約】【課題】環や筐体などの提手の構成部材を金属で作製した場合に、この構成部材の金属色を露出させることなく、全体として体裁が悪くなることのない鞄の提手を提供する。【解決手段】可撓性を有するハンドル１の両端に、スライド孔２を有する係合片３を突設すると共に、これら係合片３の上方を覆うカバー体４を前記ハンドル１の両端に連設し、鞄本体５に設けた止着体６の係合部７を、前記係合片３のスライド孔２にスライド自在に係合させたものとしている。【選択図】図１
2007296241.tif 000002
【特許請求の範囲】
【請求項１】
可撓性を有するハンドル（１）の両端に、スライド孔（２）を有する係合片（３）を突設すると共に、これら係合片（３）の上方を覆うカバー体（４）を前記ハンドル（１）の両端に連設し、鞄本体（５）に設けた止着体（６）の係合部（７）を、前記係合片（３）のスライド孔（２）にスライド自在に係合させたことを特徴とする鞄の提手。
【請求項２】
前記ハンドル（１）内部に芯部材（８）を装着し、この芯部材（８）の両端に前記係合片（３）を連結したことを特徴とする請求項１記載の鞄の提手。
【請求項３】
前記係合片（３）を弾性変形するものとしたことを特徴とする請求項１または２記載の鞄の提手。
【請求項４】
前記係合片（３）を外端部にかけて上方へ反らせたものとしたことを特徴とする請求項１または２記載の鞄の提手。
【請求項５】
前記カバー体（４）を可撓性を有するものとして、ハンドル（１）の両端に一体成形したことを特徴とする請求項１〜４のいずれかに記載の鞄の提手。
【発明の詳細な説明】
【技術分野】
【０００１】
この発明は、通勤通学用の鞄やアタッシュケース、旅行用のスーツケース等の鞄の提手に関するものである。
【背景技術】
【０００２】
従来、この種の鞄の提手としては、例えば図６〜８に示したように、スポンジ版１１を巻装した弾鈑１２の両端部に反り１３を形成した環１４を装着せしめて基体１５を形成し、この環１４を底金１６に添着させた筐体１７の他端における両端部に欠処１８ａ、１８ｂを形成した折片１９と係合せしめて摺動ならびに起伏自在となしたものが存在する（特許文献１）。
【０００３】
そして、このように構成した上記従来の鞄の提手は、弾鈑１２を引き起こすと、筐体１７内の環１４は引き出され、欠処１８ａ、１８ｂの上縁と衝合して起立状態を呈する。起立した環１４は、欠処１８ａ、１８ｂの上縁において衝合するようになるため、これ以上の起立は阻止されそのままの状態で弾発力が加えられているから基体１５は湾曲状に起立の状態を続ける。そして、起立した基体１５を上より押せば、環１４は倒れて筐体１７内に摺込み、元のように復元するとしている。
【特許文献１】実公昭和３７−２０１７７号公報（第２頁、図１、２）
【発明の開示】
【発明が解決しようとする課題】
【０００４】
しかしながら、上記従来の鞄の提手では、前記環１４に充分な強度をもたせるためにこの環１４を金属で作製する場合が多く、この環１４を金属で作製した場合には図６、７に示したように、起立した環１４が露出しているため、この環１４の金属色が皮革や合成樹脂から作製される基体１５や鞄本体の色と調和せず、提手全体として体裁が悪くなるという問題点を有していた。
【０００５】
さらに、上記従来の鞄の提手では、前記筐体１７も製作上、金属で作製する場合が多く、この筐体１７を金属で作製した場合には、前記したのと同様にこの筐体１７の金属色が皮革や合成樹脂から作製される基体１５や鞄本体の色と調和せず、提手全体として体裁が悪くなるという問題点を有していた。
【０００６】
そこで、この発明は、上記従来の問題点を解決することをその課題としており、環や筐体などの提手の構成部材を金属で作製した場合に、この構成部材の金属色を露出させることなく、全体として体裁が悪くなることのない鞄の提手を提供することを目的としてなされたものである。
【課題を解決するための手段】
【０００７】
そのため、この発明の鞄の提手は、可撓性を有するハンドル１の両端に、スライド孔２を有する係合片３を突設すると共に、これら係合片３の上方を覆うカバー体４を前記ハンドル１の両端に連設し、鞄本体５に設けた止着体６の係合部７を、前記係合片３のスライド孔２にスライド自在に係合させたものとしている。
【０００８】
そして、この発明の鞄の提手は、前記ハンドル１内部に芯部材８を装着し、この芯部材８の両端に前記係合片３を連結したものとしている。
【０００９】
さらに、この発明の鞄の提手は、前記係合片３を弾性変形するものとしている。
【００１０】
また、この発明の鞄の提手は、前記係合片３を外端部にかけて上方へ反らせたものとしている。
【００１１】
さらに、この発明の鞄の提手は、前記カバー体４を可撓性を有するものとして、ハンドル１の両端に一体成形したものとしている。
【発明の効果】
【００１２】
この発明の鞄の提手は、以上に述べたように構成されているので、提手の構成部材を金属で作製した場合に、この構成部材の金属色を露出させることなく、全体として体裁が悪くならないものとなった。
【発明を実施するための最良の形態】
【００１３】
以下、この発明の鞄の提手の実施の形態を、図面に基づいて詳細に説明する。
【００１４】
この発明の鞄の提手は、図１〜４に示したように、可撓性を有するハンドル１の両端に、スライド孔２を有する係合片３を突設すると共に、これら係合片３の上方を覆うカバー体４を前記ハンドル１の両端に連設し、鞄本体５に設けた止着体６の係合部７を、前記係合片３のスライド孔２にスライド自在に係合させたものとしている。
【００１５】
前記ハンドル１は、軟質の合成樹脂等からなる上層体１ａ、下層体１ｂの間に鋼板等からなる弾性板からなる芯部材８を挟み込むことにより、ハンドル１内部にこの芯部材８を装着したものとしている。そして、この芯部材８の両端に前記係合片３をリベット止めする等して水平方向に回動自在または回動しないように連結したものとしている。前記芯部材８は、ハンドル１の可撓性を保持させながら、ハンドル１の引張強度を増大させ、さらにハンドル１の両端に係合片３を突設し易くするためのものである。
【００１６】
前記係合片３は、略長方形状に形成した鋼板、鉄板等からなる弾性変形したり、または弾性変形しないものとしている。さらに、この係合片３には、長さ方向に長孔とした前記スライド孔２を形成したものとしている。このスライド孔２の内端２ａおよび外端２ｂは、後に述べる止着体６の係合部７の首部７ｂが係合したときに、この首部７ｂが損傷しないように丸みを持たせた形状にしている。なお、前記係合片３は、弾性変形しないものとした場合には、外端部にかけて上方へ反らせたものとしている。
【００１７】
前記カバー体４は、軟質または硬質の合成樹脂等からなり、係合片３の上方、両側面、先端側を覆うようにしており、ハンドル１と一体または別体としてそのハンドル１の両端に連設したものとしている。このカバー体４は、ハンドル１と一体とする場合には、ハンドル１と同様に可撓性を有する軟質の合成樹脂からなるものとして、一体成形したものとしており、ハンドル１と別体とする場合には、軟質または硬質の合成樹脂からなるものとし、ヒンジ（図示せず）を介在するなどして、上下に揺動自在としたものとしている。なお、前記カバー体４は、ハンドル１と一体成形すれば、ハンドル１の両端に簡単に連設することができる。
【００１８】
前記止着体６は、金属または合成樹脂から構成され、鞄本体５の枠体等に直接または補強板（図示せず）を介在させ、下部に形成されたリベット穴６ａにリベット（図示せず）を打ち込むことにより、リベット止めするなどして、鞄本体５に設けられている。そして、この止着体６は、前記係合部７を一体成形するなどして、上部に突設したものとしている。係合部７は、頭部７ａの下方に首部７ｂを形成したものとし、この頭部７ａは水平断面を幅方向に長い形状とし、スライド孔２に長さ方向からは差し込めるが、スライド孔２に幅方向からは差し込めないようにしており、前記首部７ｂは水平断面を円形状などとし、スライド孔２の長さ方向からも幅方向からも差し込める形状にしている。したがって、前記止着体６は、係合部７の頭部７ａをスライド孔２の長さ方向にして、この頭部７ａと首部７ｂとをスライド孔２に差し込み、頭部７ａをスライド孔２の幅方向に９０度捻れば、係合片３は止着体６から外れないようになり、スライド孔２に前記係合部７をスライド自在に係合させたものとすることができる。
【００１９】
以上のように構成したこの発明の鞄の提手は、ハンドル１と鞄本体５の間に手を差し込み、このハンドル１を手で握って引き上げると、図５に示したように、ハンドル１が湾曲し起立状態となる。そして、このハンドル１の両端に設けた係合片３が弾性変形するものでは、この係合片３が弾性変形して湾曲した状態となったスライド孔２の内端２ａから外端２ｂに、鞄本体５の止着体６の係合部７がスライドして、その係合部７がスライド孔２の外端２ｂに係合した状態となり、この状態で鞄本体５が持ち上げられる。また、前記係合片３が弾性変形しないものでは、上方へ反らせた係合片３の湾曲した状態となったスライド孔２の内端２ａから外端２ａに、鞄本体５の止着体６の係合部７がスライドして、その係合部７がスライド孔２の外端２ｂに係合した状態となり、この状態で鞄本体５が持ち上げられる。この状態では、前記ハンドル１の両端の係合片３や鞄本体５の止着体６は、ハンドル１の両端に連設したカバー体４により覆われたままである。
【００２０】
次に、前記ハンドル１を握って持ち上げた鞄本体５を下ろし、起立状態となったハンドル１を上から押さえれば、鞄本体５の止着体６の係合部７が前記スライド孔２の外端２ｂから内端２ａ側にスライドして、ハンドル１が湾曲し起立状態から、図１に示したような元の状態に戻る。そして、この状態でも、前記ハンドル１の両端の係合片３や鞄本体５の止着体６は、ハンドル１の両端に連設したカバー体４で覆われたままである。
【００２１】
したがって、前記ハンドル１の両端の係合片３や鞄本体５の止着体６を金属で作製した場合に、ハンドル１を握って鞄本体５を持ち上げたときも、鞄本体５を下ろしたときも、これら係合片３や止着体６の金属色が露出することはない。
【図面の簡単な説明】
【００２２】
【図１】この発明の鞄の提手の側断面図である。
【図２】図１中のＡ−Ａ線によるこの発明の鞄の提手の縦断面図である。
【図３】この発明の鞄の提手の分解斜視図である。
【図４】この発明の鞄の提手を底面側から見た斜視図である。
【図５】この発明の鞄の提手の引き上げた状態を示す側断面図である。
【図６】従来の鞄の提手の断面説明図である。
【図７】従来の鞄の提手の要部断面図である。
【図８】従来の鞄の提手の筐体の斜視図である。
【符号の説明】
【００２３】
１  ハンドル
２  スライド孔
３  係合片
４  カバー体
５  鞄本体
６  止着体
７  係合部
８  芯部材
【図１】
2007296241.tif 000003
【図２】
2007296241.tif 000004
【図３】
2007296241.tif 000005
【図４】
2007296241.tif 000006
【図５】
2007296241.tif 000007
【図６】
2007296241.tif 000008
【図７】
2007296241.tif 000009
【図８】
2007296241.tif 000010